(57)【要約】【課題】多数の仕様項目および仕様値が依存関係を持つ受注設計品の見積において、顧客の要求仕様値に対して仕様変更提案を生成する装置を提供する。【解決手段】過去の顧客の要求仕様の実績値を記憶する要求仕様実績データ記憶部と、過去の要求仕様に対する提案仕様の実績値を記憶する提案仕様実績データ記憶部と、前記要求仕様実績データ、および提案仕様実績データに基づき作成した、要求仕様に対して仕様変更提案する確率の高い仕様変更提案ルールを記憶する仕様変更提案ルール記憶部と、新たな要求仕様を受け付ける要求仕様受付部と、受け付けた要求仕様と前記仕様変更提案ルールに基づき仕様変更提案を生成する仕様変更提案生成部と、前記仕様変更提案と、ユーザの適用選択に基づき提案仕様を生成する提案仕様生成部とを備えた見積構成設計装置を構成する。【選択図】図１
2015097011.tif 000002
【特許請求の範囲】
【請求項１】
顧客の要求仕様に対して、過去の受注実績データに基づき、仕様変更の確率が高い提案仕様を生成する見積構成設計装置であって、
対象とする製品の全ての仕様項目および仕様値を定義するデータを記憶する仕様マスタ記憶部と、
過去の顧客の要求仕様の実績値を記憶する要求仕様実績データ記憶部と、
過去の要求仕様に対する提案仕様の実績値を記憶する提案仕様実績データ記憶部と、
前記要求仕様実績データ、および提案仕様実績データに基づき作成した、要求仕様に対して仕様変更提案する確率の高い仕様変更提案ルールを記憶する仕様変更提案ルール記憶部と、
新たな要求仕様を受け付ける要求仕様受付部と、
受け付けた要求仕様と前記仕様変更提案ルールに基づき仕様変更提案を生成する仕様変更提案生成部と、
前記仕様変更提案と、ユーザの適用選択に基づき提案仕様を生成する提案仕様生成部と、
を備えることを特徴とする見積構成設計装置。
【請求項２】
請求項１に記載の見積構成設計装置において、
前記提案仕様実績データに基づき、提案仕様値間の関係を条件付確率で算出して、所定の閾値以上の条件付確率値を持つ提案仕様値間に依存関係を付与し、
前記要求仕様実績データの要求仕様値と、前記依存関係のある提案仕様値とを条件とする条件付確率値が、所定の閾値以上となる提案仕様値を結果として導く仕様変更提案ルールを作成して、前記仕様変更提案ルール記憶部へ記憶する仕様変更提案ルール生成部を更に備えることを特徴とする見積構成設計装置。
【請求項３】
前記仕様変更提案ルールは、少なくとも変更結果となる提案仕様値、条件となる要求仕様値、条件となる依存関係にある提案仕様値群、及び仕様変更提案条件付確率値を有するデータレコードにより構成されていることを特徴とする請求項１または請求項２に記載の見積構成設計装置。
【請求項４】
前記仕様変更提案生成部は、前記受け付けた要求仕様値により仕様変更提案ルール記憶部を検索して、該当する仕様変更提案ルールを抽出し、画面上に各仕様変更提案ルールのデータレコードに従って、少なくとも仕様項目名、要求仕様値、提案仕様値、依存関係のある提案仕様値、および条件付確率の一覧から成る仕様変更提案をユーザに提示して、ユーザから仕様変更の適用選択を受付けることを特徴とする請求項１に記載の見積構成設計装置。
【請求項５】
前記提案仕様生成部は、前記ユーザが適用選択した仕様変更提案ルールに従って仕様変更した提案仕様値を、要求仕様値通りの提案仕様値と共に、受注案件の提案仕様出力画面へ表示することを特徴とする請求項１に記載の見積構成設計装置。
【請求項６】
請求項１に記載の見積構成設計装置において、
更に、過去に受注を受けた案件の実績を少なくとも案件ＩＤ、見積日のデータ項目を有して記録する案件実績データ記憶部を備え、
前記仕様変更提案ルール生成部は、ユーザが指定した見積日の範囲に従って、前記要求仕様実績データ、および提案仕様実績データから該当するデータのみを選択して読み出して、仕様変更提案ルールを作成することを特徴とする見積構成設計装置。
【発明の詳細な説明】
【技術分野】
【０００１】
本発明は、要求仕様に基づき見積機器構成を決定する見積構成設計装置に関する。
【背景技術】
【０００２】
本技術分野の背景技術として、特開２００７−２６３７９号公報（特許文献１）がある。この公報には、「［課題］個別生産品の設計を行う際に、入力される設計仕様から自動的に設計を行う個別生産品設計装置を得る。［解決手段］当該装置で自動的に設計可能な個別生産品を標準仕様とし、その個別生産品について必要な部品の設計図面が格納される図面展開マスタ１３と、判断基準情報が格納される判断基準マスタ１２と、個別生産品の有する設定固有情報ごとに必要な図面展開マスタ１３中の設計図面を対応付けた必要部品情報が格納される部品表作成マスタ１４と、仕様情報に含まれる仕様内容を判断基準情報と照合して、標準仕様であるか否かを判断する仕様判断部１６と、標準仕様であると判断された場合に、仕様内容に合致する部品表を部品表作成マスタ１４から選択する部品表作成部１７と、この部品表に基づいて選択した図面展開マスタ１３中の設計図面と、仕様情報から設定したパラメータとを含む図面展開情報を作成する図面展開処理部１８と、を備える。」と記載されている（要約参照）。
【先行技術文献】
【特許文献】
【０００３】
【特許文献１】特開２００７−２６３７９号公報
【発明の概要】
【発明が解決しようとする課題】
【０００４】
前記特許文献１には、自動的に設計を行う個別生産品設計装置が記載されている。しかし、特許文献１の個別生産品設計装置は、要求仕様値の中で自社の標準仕様値に合致する部分のみ詳細仕様・図面に展開するもので、仕様変更提案を前提とした提案仕様値は生成できない。
そこで本発明は、多数の仕様項目および仕様値を有し、それらが依存関係を持つ受注設計品の見積において、各要求仕様値に対して仕様変更提案するか否かを判定し、変更提案する要求仕様値については、それに対する提案仕様値を自動生成する装置を提供する。
【課題を解決するための手段】
【０００５】
上記課題を解決するために本発明では、顧客の要求仕様に対して、過去の受注実績データに基づき、仕様変更の確率が高い提案仕様を生成する見積構成設計装置を、対象とする製品の全ての仕様項目および仕様値を定義するデータを記憶する仕様マスタ記憶部と、過去の顧客の要求仕様の実績値を記憶する要求仕様実績データ記憶部と、過去の要求仕様に対する提案仕様の実績値を記憶する提案仕様実績データ記憶部と、前記要求仕様実績データ、および提案仕様実績データに基づき作成した、要求仕様に対して仕様変更提案する確率の高い仕様変更提案ルールを記憶する仕様変更提案ルール記憶部と、新たな要求仕様を受け付ける要求仕様受付部と、受け付けた要求仕様と前記仕様変更提案ルールに基づき仕様変更提案を生成する仕様変更提案生成部と、前記仕様変更提案と、ユーザの適用選択に基づき提案仕様を生成する提案仕様生成部とを備えて構成した。
【０００６】
また、上記課題を解決するために本発明では、前記見積構成設計装置において、前記提案仕様実績データに基づき、提案仕様値間の関係を条件付確率で算出して、所定の閾値以上の条件付確率値を持つ提案仕様値間に依存関係を付与し、前記要求仕様実績データの要求仕様値と、前記依存関係のある提案仕様値とを条件とする条件付確率値が、所定の閾値以上となる提案仕様値を結果として導く仕様変更提案ルールを作成して、前記仕様変更提案ルール記憶部へ記憶する仕様変更提案ルール生成部を更に備えることを特徴とする見積構成設計装置を構成した。
【０００７】
また、上記課題を解決するために本発明では、前記見積構成設計装置において、前記仕様変更提案生成部は、前記受け付けた要求仕様値により仕様変更提案ルール記憶部を検索して、該当する仕様変更提案ルールを抽出し、画面上に各仕様変更提案ルールのデータレコードに従って、少なくとも仕様項目名、要求仕様値、提案仕様値、依存関係のある提案仕様値、および条件付確率の一覧から成る仕様変更提案をユーザに提示して、ユーザから仕様変更の適用選択を受付けることを特徴とする見積構成設計装置を構成した。
【発明の効果】
【０００８】
顧客の要求仕様値に対して、自社の標準仕様を組合せた提案仕様値に仕様変更提案することで、コスト削減、納期短縮が図れる。
【図面の簡単な説明】
【０００９】
【図１】本発明の一実施の形態のシステムを構成する見積構成設計装置１００および周辺機器を含む構成例を示す図である。
【図２】仕様マスタデータ２００のテーブル例を示す図である。
【図３】案件実績データ２１０のテーブル例を示す図である。
【図４】要求仕様実績データ２２０のテーブル例を示す図である。
【図５】提案仕様実績データ２３０のテーブル例を示す図である。
【図６】提案仕様値条件付確率データ２４０のテーブル例を示す図である。
【図７】提案仕様値依存関係データ２５０のテーブル例を示す図である。
【図８】仕様変更提案条件付確率データ２６０のテーブル例を示す図である。
【図９】仕様変更提案ルールデータ２７０のテーブル例を示す図である。
【図１０】仕様変更提案生成の処理フローを示す図である。
【図１１】仕様変更提案ルール生成の処理フローを示す図である。
【図１２】要求仕様受付部の入力画面例を示す図である。
【図１３】仕様変更提案生成結果の出力画面例を示す図である。
【図１４】提案仕様生成結果の出力画面例を示す図である。
【発明を実施するための形態】
【００１０】
以下、図面を用いて実施例を説明する。なお、実施の形態を説明するための全図において、同一部には原則として同一符号を付し、その繰り返しの説明は省略する。
【００１１】
(1) システム構成
図１は、本実施の形態のシステムを構成する見積構成設計装置１００および周辺機器を含む構成例を示している。システム全体は、見積構成設計装置１００、それに接続される入出力装置１３１、および通信ネットワーク１４１を介して接続される遠隔入出力装置１４２を有する。ユーザ（製品情報管理者、営業担当者、設計者など）は、入出力装置１３１の操作を通じて本装置１００の機能を利用する。本装置１００は、一般的な計算機（ＰＣ等）で構成でき、例えばソフトウェアプログラムの実行処理により本実施例の特徴的な処理機能（演算装置１１０の各処理部を含む）を実現する。
【００１２】
見積構成設計装置１００は、演算装置１１０、記憶装置１２０、入出力Ｉ/Ｆ（インタフェース）装置１３０、通信装置１４０、およびバスなどで構成される。
入出力装置１３１は、ユーザの操作により、要求仕様などの入力を行う入力装置や提案仕様など出力を行う出力装置であり、例えばキーボード、マウス、ディスプレイ、プリンタなどがある。
入出力Ｉ/Ｆ装置１３０は、各入出力装置１３１とデータ交換などのインタフェース制御（周辺デバイス制御）の処理を行う部分である。本システムでは、演算装置１１０の処理および入出力Ｉ/Ｆ装置１３０の処理に基づいて、入出力装置１３１の画面で、グラフィカルユーザインタフェース（ＧＵＩ）を構成し、各種の情報を表示する。
【００１３】
通信装置１４０は、本装置１００を通信ネットワーク１４１へ接続する通信インタフェース処理を行う。遠隔入出力装置１４２は、インターネットやＬＡＮ等の通信ネットワーク１４１を介して、ユーザが遠隔地で本装置１００に対してデータ入出力等を可能とする場合に用いる。遠隔入出力装置１４２を用いる場合、本装置１００の通信装置１４０との間で通信ネットワーク１４１を介しデータ交換などの処理を行う。例えば、本装置１００をＷｅｂサーバ装置として、遠隔入出力装置１４２はＷｅｂブラウザを備えた端末装置などとしてもよい。
【００１４】
演算装置１１０は、例えばＣＰＵ，ＲＡＭ，ＲＯＭ等の公知の要素により構成される。演算装置１１０は、本実施例の特徴的な機能を実現する処理を行う部分であり、要求仕様受付部１１１と、仕様変更提案生成部１１２と、提案仕様生成部１１３と、仕様変更提案ルール生成部１１４とを有する。
【００１５】
なお、本装置１００は、図示しないが、ＯＳ、ミドルウェア、アプリケーションなどの公知の要素を有し、特にディスプレイなどの入出力装置１３１にＧＵＩ画面をＷｅｂページ形式などで表示するための既存の処理機能を備える。演算装置１１０は、上記の既存の処理機能を用いて、所定の画面を描画し表示する処理や、画面でユーザ入力されるデータ情報の処理などを行う。
【００１６】
記憶装置１２０は、例えばＨＤＤやＭＯ等の公知の要素により構成され、仕様マスタ記憶部１２１、案件実績データ記憶部１２２、要求仕様実績データ記憶部１２３、提案仕様実績データ記憶部１２４、および仕様変更提案ルール記憶部１２５を含む、記憶部、及び対応するデータ情報（例えばデータベースやテーブル）を有する構成である。またこれらの各データ情報およびプログラム等は、通信ネットワーク１４１を介して外部から取得・参照される形式としてもよい。
【００１７】
仕様マスタ記憶部１２１は、本装置が処理する対象製品の全ての仕様項目と仕様値が予め定義されている仕様マスタデータ２００を記憶する部分である。案件実績データ記憶部１２２は、過去の受注実績を案件名、見積日で登録した案件実績データ２１０を記憶する部分である。要求仕様実績データ記憶部１２３は、過去の受注案件において顧客が要求した要求仕様実績データ２２０を記憶する部分である。提案仕様実績データ記憶部１２４は、過去の受注案件において顧客へ回答・提案した提案仕様実績データ２３０を記憶する部分である。仕様マスタ記憶部１２１、案件実績データ記憶部１２２、要求仕様実績データ記憶部１２３、提案仕様実績データ記憶部１２４は、例えば既存データ（他システムで管理・作成された情報）を用いることもできる。
【００１８】
仕様変更提案ルール記憶部１２５は、演算装置１１０での本実施例の特徴的な機能により処理するデータ情報を記憶する部分であり、提案仕様値条件付確率データ２４０と、提案仕様値依存関係データ２５０と、仕様変更提案条件付確率データ２６０と、仕様変更提案ルールデータ２７０とを有する。
【００１９】
(2) 仕様マスタデータ
図２は、仕様マスタ記憶部１２１に記憶する仕様マスタデータ２００のテーブル構成例である。仕様マスタデータ２００のテーブルは、仕様項目ＩＤ欄２０１と、仕様項目名欄２０２と、仕様値ＩＤ欄２０３と、仕様値名欄２０４とを有している。テーブルの縦軸（行）には、製品の要求仕様および提案仕様を規定する仕様項目および仕様値を定義するデータが並ぶ。
例えば、仕様項目として「出力」、「燃料」、「最低気温」、「設置場所」などの製品の機能や性能に関する顧客要求や制約条件を規定する項目、「フィルタ」などの製品構成要素を規定する項目、「配管材質」などの製品構成要素の属性を規定する項目などがデータとして格納されている。また仕様項目毎の仕様値には、例えば、仕様項目「出力」の取り得る仕様値として「３０ＭＷ」、「５０ＭＷ」、「７０ＭＷ」。仕様項目「設置場所」の取り得る仕様値として「屋内」、「屋外」。仕様項目「配管材質」の取り得る仕様値として「炭素鋼」、「ＳＵＳ３０４」、「ＳＵＳ３１６Ｌ」などがデータとして格納されている。
仕様項目ＩＤ２０１および仕様値ＩＤ２０３は多数（例えば百〜万のオーダー）の仕様項目および仕様値を一意に識別可能な値が使用される。
【００２０】
(3) 案件実績データ
図３は、過去に受注を受けた案件の実績を記憶する案件実績データ記憶部１２２に記憶する案件実績データ２１０のテーブル構成例である。案件実績データ２１０のテーブルは、案件ＩＤ欄２１１と、案件名欄２１２と、見積日欄２１３とを有している。テーブルの縦軸（行）には、過去に見積を行った案件のデータが並ぶ。案件ＩＤは多数（例えば百〜万のオーダー）の案件を一意に識別可能な値が使用される。
【００２１】
(4) 要求仕様実績データ
図４は、要求仕様実績データ記憶部１２３に記憶する顧客が過去の案件において要求を出した要求仕様実績データ２２０のテーブル例である。要求仕様実績データ２２０のテーブルは、仕様値ＩＤ欄２２１と、案件別実績欄２２２とを有している。テーブルの縦軸（行）には、仕様マスタデータ２００で定義されている仕様値ＩＤ２０３が並ぶ。横軸（列）には、案件実績データ２１０の案件ＩＤ２１１に記録された過去案件の案件ＩＤが並んでおり、該当案件への該当仕様の適用は「１」、非適用は「０」として数値的に記憶されている。
図４での例を取ると、横軸の「ＰＪ０００００１」と縦軸の「ＳＶ０００００１」とが交差するセル部分が「１」であることは、「ＰＪ０００００１（＝案件Ａ）」では「ＳＶ０００００１（＝３０ＭＷ）」という要求仕様値であったことを意味する。
【００２２】
(5) 提案仕様実績データ
図５は、提案仕様実績データ記憶部１２４に記憶する顧客の要求に対して過去の案件で提案を提示した提案仕様実績データ２３０のテーブル例である。提案仕様実績データ２３０のテーブルは、仕様値ＩＤ欄２３１と、案件別実績欄２３２とを有している。テーブルの縦軸（行）には、仕様マスタデータ２００で定義されている仕様値ＩＤ２０３が並ぶ。横軸（列）には、案件実績データ２１０の案件ＩＤ２１１に記録された過去案件の案件ＩＤが並んでおり、該当案件への該当仕様の適用は「１」、非適用は「０」として数値的に記憶されている。
【００２３】
(6) 提案仕様値条件付確率データ
図６は、仕様変更提案ルール記憶部１２５に記憶する、過去の登録案件に出現した全ての提案仕様値の間の関係を条件付確率で総当りに計算した結果を記録した提案仕様値条件付確率データ２４０のテーブル例である。提案仕様値条件付確率データ２４０のテーブルは、縦軸は条件に相当する提案仕様値の仕様値ＩＤ２４１、横軸は結果に相当する提案仕様値の仕様値ＩＤ２４２が列挙されている。これらの縦横の各々の項目の交差するセル部分２４３には、両者の関係を数式１で計算した条件付確率αが格納される。
【００２４】
(7) 提案仕様値依存関係データ
図７は、仕様変更提案ルール記憶部１２５に記憶する、過去の登録案件に出現した全ての提案仕様値の間の関係の中で依存関係の高いものを特定する提案仕様値依存関係データ２５０のテーブル例である。提案仕様値依存関係データ２５０のテーブルは、縦軸は条件に相当する提案仕様値の仕様値ＩＤ２５１、横軸は結果に相当する提案仕様値の仕様値ＩＤ２５２が列挙されている。これらの縦横の各々の項目の交差するセル部分２５３には、依存関係があるものは「１」、依存関係が無いものは「０」として数値的に記憶されている。
【００２５】
(8) 仕様変更提案条件付確率データ
図８は、仕様変更提案ルール記憶部１２５に記憶する、過去の登録案件に出現した要求仕様値と依存関係にある提案仕様値群が成立した条件で結果に相当する提案仕様値に仕様変更した条件付確率を計算した仕様変更提案条件付確率データ２６０のテーブル例である。
仕様変更提案条件付確率データ２６０のテーブルは、提案仕様値欄２６１と、要求仕様値欄２６２と、依存関係のある提案仕様値群欄２６３と、仕様変更提案の条件付確率欄２６４とを有している。テーブルの縦軸（行）には、仕様マスタデータ２００で定義されている仕様値ＩＤ２０３を用いて、提案仕様値と、要求仕様値と、依存関係にある提案仕様値の組合せと、それらに基づく数式２による条件付確率βの計算結果とがデータレコードとして記憶されている。
図８の例を取ると、要求仕様値がＳＶ０００３０３（フィルタ＝２台）、かつ依存関係のある提案仕様値がＳＶ０００００４（燃料＝ガス）の条件下において、提案仕様値がＳＶ０００３０１（フィルタ＝不付）に変更された確率は０．８０であることを意味する。
【００２６】
(9) 仕様変更提案ルールデータ
図９は、仕様変更提案ルール記憶部１２５に記憶する、図８の仕様変更提案条件付確率データから仕様変更提案の条件付確率が高いデータレコードを抽出して作成した仕様変更提案ルールデータ２７０のテーブル例である。仕様変更提案ルールデータ２７０のテーブルは、ルールＩＤ欄２７１と、提案仕様値欄２７２と、要求仕様値欄２７３と、依存関係のある提案仕様値群欄２７４と、仕様変更提案の条件付確率欄２７５とを有している。テーブルの縦軸（行）には、ルールＩＤと、それに対応した提案仕様値と、要求仕様値と、依存関係にある提案仕様値の組合せと、それらに基づく数式２による条件付確率βの計算結果とがデータレコードとして記憶されている。ルールＩＤは多数（例えば百〜万のオーダー）のルールを一意に識別可能な値が使用される。
【００２７】
(10) 仕様変更提案生成処理
図１０は仕様変更提案生成の処理フローを示す図である。
ステップＳ１０１において、要求仕様受付部１１１は、入出力装置１３１と入出力インタフェース１３０を用いてユーザが入力した要求仕様値を受け付け、仕様マスタ記憶部１２１の仕様マスタデータ２００に定義された仕様値ＩＤ２０３を用いて、要求仕様値を仕様値ＩＤの形式で要求仕様実績データ記憶部１２３の要求仕様実績データ２２０に、新たな案件ＩＤを登録して、データを格納する。
【００２８】
ステップＳ１０２において、仕様変更提案生成部１１２は、受け付けた要求仕様値の仕様値ＩＤを用いて、仕様変更提案ルール記憶部１２５の仕様変更提案ルールデータ２７０内を検索し、要求仕様値の仕様値ＩＤが合致する仕様変更提案ルールのデータレコードを検索して、引き当てる。
ステップＳ１０３において、仕様変更提案生成部１１２は、ステップＳ１０２で引き当てた仕様変更提案ルール、およびその関連の仕様変更提案ルールを図１３に示す仕様変更提案確認画面に表示する。
例えば、図１３のデータレコード４０２が示す仕様変更提案ルールは、顧客の要求仕様が、「フィルタ」を「１台」付けることを要求しているが、依存関係にある他の提案仕様値が、「燃料」＝「ガス」、および「ガス種別」＝「ＬＮＧ」である場合には、過去の実績では、ＬＮＧが天然ガスであることから、フィルタは不要で「不付」を９０％の確率で提案仕様値としていることを表わしている。また、データレコード４０３が示す仕様変更提案ルールは、提案仕様値が「ガス種別」＝「オフガス」となる場合には、オフガスは不純物が混じったガスなので、顧客の要求仕様が「フィルタ」「不付」であった場合には、１００％の確率で、過去の案件では提案仕様を「フィルタ」「１台」と仕様変更提案していることを表わしている。
【００２９】
ステップＳ１０４において、図１３に示す仕様変更提案確認画面をユーザが確認して、また顧客との商談中であれば顧客の承認を受けて、表示された候補の中より適用する仕様変更提案ルールを選択して、適用欄３１１の該当セルにチェックマークを入力する。
仕様変更提案生成部１１２は、図１３に示す仕様変更提案確認画面において、仕様変更提案ルールの適用要否をユーザが入力・編集した結果を受け付ける。
ステップＳ１０５において、提案仕様生成部１１３は、ステップＳ１０４の編集結果をもとに、適用する仕様変更提案ルールに従い、要求仕様値を提案仕様値に変換して、図１４に示す提案仕様出力画面を表示する。
【００３０】
(11) 仕様変更提案ルール生成処理
図１１は、仕様変更提案ルール生成の処理フローを示す図である。
ステップＳ２０１において、仕様変更提案ルール生成部１１４は、提案仕様実績データ記憶部１２４の提案仕様実績データ２３０に記憶された全ての実績データを読み込む。尚、仕様変更提案ルールは、時間(時期)的に変化する可能性があり、時間(時期)変化に応じた適切な仕様変更提案ルールを生成するために、ユーザが指定した見積日の範囲に該当する案件の実績データのみを読み込んで、仕様変更提案ルール生成処理を行っても良い。
【００３１】
ステップＳ２０２において、仕様変更提案ルール生成部１１４は、提案仕様実績データ記憶部１２４の提案仕様実績データ２３０を用いて、提案仕様値iを条件として、提案仕様値jを結果とする条件付確率α(過去の登録されている対象案件群において、提案仕様値iが一致する案件に対して、提案仕様値jも成立する条件付確率)を下記の数式１を用いて算出し、仕様変更提案ルール記憶部１２５の提案仕様値条件付確率データ２４０に格納する。
【００３２】
【数１】
2015097011.tif 000003
p(Yj|Xi)：提案仕様値iがXiとなる条件下で提案仕様値jがYjとなる確率
p(Xi∩Yj)：提案仕様値iがXiかつ提案仕様値jがYjとなる確率
p(Xi)：提案仕様値iがXiとなる確率
【００３３】
ステップＳ２０３において、仕様変更提案ルール生成部１１４は、仕様変更提案ルール記憶部１２５の提案仕様値条件付確率データ２４０の条件付確率が閾値a（例えば０．８０）以上のものを特定し、該当するセルを「１」、該当しないセルを「０」に変換し、仕様変更提案ルール記憶部１２５の提案仕様値依存関係データ２５０として格納する。この処理により、後処理の組合せ計算を依存関係のある意味ある計算領域に絞ることができ、現実的な計算時間（例えば、数秒〜数時間）に収めることができる。
【００３４】
ステップＳ２０４において、仕様変更提案ルール生成部１１４は、要求仕様実績データ記憶部１２３の要求仕様実績データ２２０に記憶された全ての実績データを読み込む。尚、前記ステップＳ２０１で提案仕様実績データ２３０についてユーザが指定した見積日の範囲に該当する案件の実績データのみを読み込む場合、当該処理においても同一の案件の実績データを読み込む。
【００３５】
ステップＳ２０５において、仕様変更提案ルール生成部１１４は、要求仕様実績データ記憶部１２３の要求仕様実績データ２２０と、提案仕様実績データ記憶部１２４の提案仕様実績データ２３０と、仕様変更提案ルール記憶部１２５の提案仕様値依存関係データ２５０とを用いて、要求仕様値iと依存関係のある提案仕様値群（k1、…、kn）を条件として、要求仕様値iと同一の仕様項目の提案仕様値jを結果とする条件付確率βを下記の数式２を用いて算出し、仕様変更提案ルール記憶部１２５の仕様変更提案条件付確率データ２６０に格納する。要求仕様に対する仕様変更提案は、該仕様項目の要求仕様値だけでなく、他の仕様項目の仕様値の条件(ステップＳ２０３において、提案仕様値依存関係データ２５０として格納した依存関係のある提案仕様値が全て対象となる。)によって、仕様変更提案する提案仕様値は異なる場合が多い。本処理を行うことで、それらの条件を含めて仕様変更提案ルールを生成することができる。
【００３６】
【数２】
2015097011.tif 000004
p(Yj|Xi,Zk1,…,Zkn)：要求仕様値iがXiかつ
提案仕様値k1がZk1かつ…かつ提案仕様値knがZkn
となる条件下で提案仕様値jがYjとなる確率
p(Xi∩Yj∩Zk1∩…∩Zkn)：要求仕様値iがXiかつ提案仕様値jがYjかつ
提案仕様値k1がZk1かつ…かつ提案仕様値knがZkn
となる確率
p(Xi∩Zk1∩…∩Zkn)：要求仕様値iがXiかつ
提案仕様値k1がZk1かつ…かつ提案仕様値knがZkn
となる確率
【００３７】
ステップＳ２０６において、仕様変更提案ルール生成部１１４は、仕様変更提案ルール記憶部１２５の仕様変更提案条件付確率データ２６０の仕様変更提案条件付確率２６４が閾値ｂ（例えば０．８０）以上のものを特定し、ルールＩＤを付与し、仕様変更提案ルール記憶部１２５の仕様変更提案ルールデータ２７０として格納する(ステップＳ２０７)。
【００３８】
(12) 要求仕様入力画面
図１２を用いて、要求仕様受付部１１１の要求仕様の受付処理Ｓ１０１で表示するＧＵＩ画面例３００について説明する。
図１２には、仕様マスタ記憶部１２１の仕様マスタデータ２００に記憶されている仕様項目名２０２のインデックス３０１と、それに対応した仕様値名３０２の選択ボタンが表示されている。本画面で、ユーザ(例えば、メーカの営業担当者、製品情報管理者、設計者など)は見積を行う案件の顧客の要求仕様値を、表示された仕様項目毎の仕様値として順に選択することでシステムに入力し、選択が終了した時点で、仕様変更提案生成ボタン３０３を押下する。
【００３９】
(13) 仕様変更提案確認画面
図１３を用いて、仕様変更提案生成部１１２の処理ステップＳ１０３〜Ｓ１０４で表示するＧＵＩ画面例３１０について説明する。
【００４０】
図１３は、仕様変更提案ルールの適用有無を表示し、またユーザによる編集を受け付ける適用チェック欄３１１と、仕様項目名を表示する仕様項目欄３１２と、各仕様項目に対する要求仕様値を表示する要求仕様値欄３１３と、要求仕様値に対する仕様変更提案となる提案仕様値を表示する提案仕様値欄３１４と、仕様変更提案を適用する条件となる該提案仕様値と依存関係のある提案仕様値条件欄３１５と、過去実績における仕様変更提案ルールの発生確率を意味する条件付確率欄３１６と、要求仕様値の一致するもののみに仕様変更提案ルールの表示を絞り込む要求仕様値一致チェック欄３１７と、依存関係のある提案仕様値の一致するもののみに仕様変更提案ルールの表示を絞り込む依存関係のある提案仕様値条件一致チェック欄３１８と、ユーザが任意に入力した閾値以上の条件付確率のもののみに仕様変更提案ルールの表示を絞り込む条件付確率閾値欄３１９と、条件付確率閾値入力欄３２０と、本画面による編集後に提案仕様出力画面に遷移するための提案仕様出力ボタン３２１と、前画面の要求仕様受付画面に戻るための戻るボタン３２２とを有する。
【００４１】
(14) 提案仕様出力画面
図１４を用いて、提案仕様生成部１１３の処理Ｓ１０５で表示するＧＵＩ画面例３３０について説明する。
図１４は、仕様項目を識別する番号（ＮＯ．）表示欄３３１と、仕様項目名表示欄３３２と、要求仕様値表示欄３３３と、提案仕様値表示欄３３４と、仕様変更提案の該当適用項目をチェックマークで表示する仕様変更提案表示欄３３５と、前画面の仕様変更提案確認画面に戻るための戻るボタン３３６と、本画面の表示内容を帳票に出力するための帳票出力ボタン３３７とを有する。
本画面で、ユーザは見積を行う案件の要求仕様値に対する提案仕様値の生成結果を確認し、確認が終了した時点で、帳票出力ボタン３３７を押下する。提案仕様生成部１１３は、帳票出力と共に、提案仕様実績データ記憶部１２４の提案仕様実績データ２３０に、提案仕様値を記録する。
【００４２】
以上説明したように本システム（見積構成設計装置１００）によれば、顧客の要求仕様値に対して、過去の実績情報に基づいて仕様変更の確率が高い提案仕様値を顧客に提案する方式により、自社の標準仕様を組合せた提案仕様値に仕様変更提案することで、コスト削減、納期短縮が図れる。また本システムに携帯端末からアクセスし活用することで、要求仕様値の入力を、例えば、顧客との打合せの席上で行い、リアルタイムで仕様変更提案の出力を得ることで、顧客に対する提案の迅速化による受注機会の拡充を図ることができる。尚、本システムは要求仕様値の入力に対する仕様変更提案の出力を行う機能だけでなく、その変換処理を司る仕様変更提案ルールを実績データから生成する機能も有しており、これにより仕様変更提案ルールの策定工数がボトルネックとなる対象や、仕様変更提案ルールが時間的に変化し、ルールの更新が随時必要となる対象に対しても、効率的に導入、運用を行うことができる。
【００４３】
以上、本発明者によってなされた発明を実施の形態に基づき具体的に説明したが、本発明は前記実施の形態に限定されるものではなく、その要旨を逸脱しない範囲で種々変更可能であることは言うまでもない。
【符号の説明】
【００４４】
１００…見積構成設計装置
１１０…演算装置
１１１…要求仕様受付部
１１２…仕様変更提案生成部
１１３…提案仕様生成部
１１４…仕様変更提案ルール生成部
１２０…記憶装置
１２１…仕様マスタ記憶部
１２２…案件実績データ記憶部
１２３…要求仕様実績データ記憶部
１２４…提案仕様実績データ記憶部
１２５…仕様変更提案ルール記憶部
１３０…入出力Ｉ/Ｆ（インタフェース）装置
１３１…入出力装置
１４０…通信装置
１４１…通信ネットワーク
１４２…遠隔入出力装置
２００…仕様マスタデータ
２１０…案件実績データ
２２０…要求仕様実績データ
２３０…提案仕様実績データ
２４０…提案仕様値条件付確率データ
２５０…提案仕様値依存関係データ
２６０…仕様変更提案条件付確率データ
２７０…仕様変更提案ルールデータ
３００…要求仕様入力画面
３１０…仕様変更提案確認画面
３３０…提案仕様出力画面
【図１】
2015097011.tif 000005
【図２】
2015097011.tif 000006
【図３】
2015097011.tif 000007
【図４】
2015097011.tif 000008
【図５】
2015097011.tif 000009
【図６】
2015097011.tif 000010
【図７】
2015097011.tif 000011
【図８】
2015097011.tif 000012
【図９】
2015097011.tif 000013
【図１０】
2015097011.tif 000014
【図１１】
2015097011.tif 000015
【図１２】
2015097011.tif 000016
【図１３】
2015097011.tif 000017
【図１４】
2015097011.tif 000018